(57)【要約】【課題】本発明は、バッテリパックの残留容測定と修正装置と方法を提供する。【解決手段】主として、充放電の時機設定により、修正装置はバッテリパックが完全放電電圧に放電する度にゼロにリセットすることを行い、これにより、精確地に電気量を測定して表示でき、好ましい実施例において、修正装置は、バッテリパックと、バッテリパックに電気的に接続されかつバッテリパック電気量が完全放電電圧に到達すると、バッテリパックの最小電気量をリセットする電池保護素子と、を備え、更に、充電素子がバッテリパックへの充電時機を制御する充電スイッチと、バッテリパックの放電時機を制御する放電スイッチとを有し、更に、修正装置に充電素子が連接されるか否かを検知しつつ電気量メッセージを生成するマイクロ制御素子と、を備え、更に、バッテリパックが完全放電電圧まで放電するように制御する内部放電スイッチを有する。【選択図】図６
2009139361.tif 000002
【特許請求の範囲】
【請求項１】
バッテリパックの電気量を測定し、
電気量が枯渇すると、システムが待機モードに移行し、
前記システムに充電素子が連接されるか否かを判断し、
前記システムに、前記充電素子が連接されれば、内部放電を実行し、
前記バッテリパックの電気量が、完全放電電圧になることを測定すると最小電気量をゼロにリセットし、前記バッテリパック電気量を測定するための一つの基準点とする、
ことを特徴とするバッテリパックの残留容量測定の修正方法。
【請求項２】
前記システムは、前記バッテリパックを使用するコンピュータシステムであることを特徴とする請求項１に記載のバッテリパックの残留容量測定の修正方法。
【請求項３】
前記システムに前記充電素子が連接されなければ、充電スイッチをオフすることを特徴とする請求項１に記載のバッテリパックの残留容量測定の修正方法。
【請求項４】
前記システムに該充電素子が連接されれば、内部放電スイッチをオンして、内部放電を実行することを特徴とする請求項１に記載のバッテリパックの残留容量測定の修正方法。
【請求項５】
前記システムが、前記待機モードに移行しかつ前記システムに前記充電素子が連接されている時、マイクロ制御素子により充電スイッチをオフして、前記充電素子が前記バッテリパックに対して充電できないようにすることを特徴とする請求項１に記載のバッテリパックの残留容量測定の修正方法。
【請求項６】
前記電池電気量が完全放電電圧になることを測定すると、前記バッテリパックに対して充電することを特徴とする請求項１に記載のバッテリパックの残留容量測定の修正方法。
【請求項７】
前記バッテリパックの電気量が完全充電電圧になることを測定すると、最大電気量を１００％にリセットし、前記バッテリパック電気量を測定するためのもう一つの基準点とすることを特徴とする請求項６に記載のバッテリパックの残留容量測定の修正方法。
【請求項８】
バッテリパックの電気量を測定し、
前記バッテリパックの電気量が低電気量電圧に到達すると、マイクロ制御素子によりシステムに対して第１の警告信号を送信し、
前記バッテリパックの電気量が、所定の電気量枯渇電圧に到達すると、前記マイクロ制御素子により前記システムに対して、第２の警告信号を送信し、前記システムが待機モードに移行し、
前記マイクロ制御素子は前記システムに充電素子が連接されているか否かを判断し、
充電スイッチをオフし、
前記システムに前記充電素子が連接されると判断すれば、内部放電を実行し、
前記バッテリパックの電気量が完全放電電圧に到達すると、電池保護素子によりリセットステップを実行して、最小電気量をゼロに設定し、前記バッテリパック電気量を測定する一つの基準点とし、
前記充電素子が、前記バッテリパックに対して充電する、
ことを特徴とするバッテリパックの残留容量測定の修正方法。
【請求項９】
前記システムは前記バッテリパックを使用するコンピュータシステムであることを特徴とする請求項８に記載のバッテリパックの残留容量測定の修正方法。
【請求項１０】
前記電池保護素子により前記充電スイッチをオンすると、前記充電素子により前記バッテリパックに対して充電することを特徴とする請求項８に記載のバッテリパックの残留容量測定の修正方法。
【請求項１１】
前記システムに前記充電素子が連接されると判断すれば、前記マイクロ制御素子により内部放電スイッチをオンして、内部放電を実行することを特徴とする請求項８に記載のバッテリパックの残留容量測定の修正方法。
【請求項１２】
完全充電電圧に充電すると、最大電気量を１００％にリセットして、前記バッテリパック電気量を測定するためのもう一つの基準点とすることを特徴とする請求項８に記載のバッテリパックの残留容量測定の修正方法。
【請求項１３】
バッテリパックと、
前記バッテリパックに電気的に接続され、バッテリパックの過充電や過放電や過電流の障害を防止するためのもので、且つ前記バッテリパックの最小電気量をリセットする電池保護素子と、
前記電池保護素子に電気的に接続され、充電素子がバッテリパックにたして充電する回路を制御する充電スイッチと、
前記電池保護素子に電気的に接続され、バッテリパックを放電する回路を制御する放電スイッチと、
前記電池保護素子に電気的に接続され、修正装置に充電素子が連接されるか否かを検知し、一つや複数の電気量メッセージを生成するマイクロ制御素子と、
前記バッテリパックとマイクロ制御素子に電気的に接続され、バッテリパックを完全放電電圧に放電することを制御する内部放電スイッチと、
を備えることを特徴とするバッテリパックの残留容量測定の修正装置。
【請求項１４】
更に、前記バッテリパックとマイクロ制御素子に電気的に接続され、かつバッテリパックの電気量を測定する電気量測定素子を備えることを特徴とする請求項１３に記載のバッテリパックの残留容量測定の修正装置。
【請求項１５】
更に、前記バッテリパックに電気的に接続され、かつバッテリパックの放電速度を制御する抵抗を備えることを特徴とする請求項１３に記載のバッテリパックの残留容量測定の修正装置。
【請求項１６】
前記マイクロ制御素子には、コンピュータシステムにカップリングするための一つや複数の通信ポートを備えることを特徴とする請求項１３に記載のバッテリパックの残留容量測定の修正装置。
【請求項１７】
前記マイクロ制御素子は、前記通信ポートを介して、前記バッテリパックの電気量が低電気量電圧や電気量枯渇電圧に到達する警告信号等の電気量メッセージを送信することを特徴とする請求項１６に記載のバッテリパックの残留容量測定の修正装置。
【請求項１８】
前記充電スイッチは、前記マイクロ制御素子によって制御され、前記システムが待機モードに移行していなくかつシステムに前記充電素子が連接されている時、前記マイクロ制御素子により前記充電スイッチをオフして、前記充電素子が前記バッテリパックに対して充電できないように制御することを特徴とする請求項１３に記載のバッテリパックの残留容量測定の修正装置。
【発明の詳細な説明】
【技術分野】
【０００１】
本発明は、バッテリパックの残留容量測定の修正装置と方法に関し、特に、充放電時機の設計により、精確に最低電気量位置を把握するものに関する。
【背景技術】
【０００２】
携帯型電子機器を使用する時、電池容量が、使用できる時間の重要参考指標であり、ユーザーは、一般として、表示スクリーンに表示された電池容量指標により提供されたメッセージで、電池容量を知る。この電池容量の指標は、システムの内部回路を利用して電池容量を検知するか、またインターフェースを利用してバッテリパックの残留容量情報を要求するかで、データバスを介してシステムに送信されてシステム内のパワーマネジメントメカニズムにより、異なる電気量に応じて、異なる処理手段を生成する。例えば、マイクロソフトのウィンドウ操作システムは、電池の電力が全部電気量の百分の十しか残っていない時、低電気量（ｂａｔｔｅｒｙ  ｌｏｗ）メッセージを送信し、更に、電力が全部電気量の百分の四しか残っていない時、コンピュータシステムが強制的に待機モード（スタンバイ  モード）や休眠モード（スリープ  モード）に移行するようにさせる。
【０００３】
しかしながら、電池が、複数回に充放電された後、電池のメモリ効果（ｍｅｍｏｒｙ  ｅｆｆｅｃｔ）や累積誤差により、電池の残留電気量の検知値と表示値に誤差が発生した場合がある。例えば、電池容量の検知に誤差が出た時や修正メカニズムがない時、システム全体のパワーマネジメントに、大きい障害を起こしてしまう。例えば、システムの低電気量の検知エラーにより、システムが即時に待機モードやデータ保存モードに移行しないことで、システムが故障するかデータを失うかしてしまう。
【０００４】
図１は、理想電圧内における充放電の曲線図であり、理想的な状態において、電池の充電と放電の曲線は、完全充電電圧（Ｆｕｌｌ  Ｃｈａｒｇｅ  Ｖｏｌｔａｇｅ）と完全放電電圧（Ｅｎｄ  ｏｆ  Ｄｉｓｃｈａｒｇｅ  Ｖｏｌｔａｇｅ）の間に往復し、電池容量は、完全放電電圧から、完全充電電圧までに充電され、また、完全充電電圧から、完全放電電圧までに放電される。
【０００５】
図２は、充放電を繰り返した時、電池のメモリ効果や累積誤差や他の因素により、電気量の測定誤差や温度修正誤差や自身放電修正誤差が発生する場合を表す図である。図２において、実線と破線を見ると、連続的に充放電する時、充放電の曲線が少しずつ完全充電電圧（電気量１００％）と完全放電電圧（電気量０％）から外れ、誤差もだんだん大きくなてきたから、電池容量の測定誤差が大きくなる恐れがある。
【０００６】
図３は、上記の誤差により完全充電電圧までに充電できない時と完全放電電圧までに放電できない時の状態であり、これにより、電池の実際の完全充電と完全放電の状態は、システム（特に、コンピュータシステム）が認定した状態と一致しなくて、システムは電力判断のエラーにより損害される恐れがある。
【０００７】
図４は、従来技術の電池の充放電誤差によるシステムの判断エラーの曲線図であり、図面の完全充電電圧は、電池容量が１００％である位置にあり、完全放電電圧は、電池容量が０％である位置にある。しかしながら、電池が多数回に充放電された後、図の点ａの位置のように完全に放電されない状況でも追充電を繰り返し行うと電池の電気量判断に誤差が発生する。また、もし最低電気量の位置設定にエラーがあれば、電池の耐用寿命が悪化するばかりかこの電気量判断エラーにより、システムが故障する恐れがある。
【０００８】
例えば、コンピュータシステムの
（外１）
2009139361.tif 000003
操作システムは、図の点ｂに示すように残留電気量が１０％である時、低電力警告メッセージ（ｂａｔｔｅｒｙ  ｌｏｗ  ａｌａｒｍ）を送信し、また、残留電気量が図の点ｃに示すように４％である時、電気量枯渇警告メッセージ（ｂａｔｔｅｒｙ  ｄｅａｄ  ａｌａｒｍ）を送信する。この時、コンピュータシステムの一時記憶するデータを保護するため、自動的に待機モード（ｓｔａｎｄｂｙ  ｍｏｄｅ）に移行する。もし電池電気量は前記の誤差による判断エラーになると、システムが待機モードに移行し損なって損害され、また、電力判断エラーによる他の問題が起こる。
【発明の開示】
【発明が解決しようとする課題】
【０００９】
一般として、移動式装置システムに表示された電池の電気量指標には、電池残留効果が考慮されず、予めに設定された電池電気量により、システム（または、その操作システム）の電池電気量が満充電になるか否か、低電気量であるか或いは電気量枯渇であるかの状態を判断し、それに基づいて、システムを正常モードや待機モードに移行させる。仮に、判断した電気量が実際の電池電気量ではない時、システムエラーになる。本発明に係るバッテリパックの残留容量測定の修正装置と方法は、主に充放電過程における電池剩餘電気量の残留効果を解決する提案であり、主として、従来技術と異なる充放電時機の設計により、システムが待機モードに移行する時でも完全放電電圧まで持続的に放電し、また、最小電気量をゼロにリセットして、それを基準とすれば、より精確的に電池電気量を判断できる。
【課題を解決するための手段】
【００１０】
本発明に係るバッテリパックの残留容量検知の修正装置の好ましい実施形態において、バッテリパックの残留容量検知の修正装置は、バッテリパックと、バッテリパックに電気的に接続されかつ最小電気量をリセットする電池保護素子と、充電素子により前記バッテリパックに対して充電するように制御する充電スイッチと、バッテリパックの放電を制御する回路である放電スイッチと、電池保護素子に電気的に接続されかつ修正装置に充電素子が連接されているか否かを検知し、電気量に基づいて、低電気量警告と電気量枯渇警告等の異なる電気量メッセージを生成するマイクロ制御素子と、バッテリパックとマイクロ制御素子に連接されかつバッテリパックを完全放電電圧までに放電するように制御する内部放電スイッチと、を備える。
【００１１】
その修正方法の好ましい実施例のステップは、まず、バッテリパックの電気量を測定し、システムが、電気量枯渇により待機モードに移行すると、システムに充電素子が連接されているか否かを判断し、システムが充電素子に連接される時、バッテリパックの電気量が完全放電電圧になることを測定する時まで、内部放電を行い、そして、最小電気量をゼロにリセットして、前記バッテリパック電気量を測定するための一つの基準点とする。
【００１２】
好ましい実施例において、バッテリパックの電気量が低電気量電圧に到達する時、マイクロ制御素子によりシステムに対して警告信号を送信し、続いて、バッテリパックの電気量が電気量枯渇電圧に到達する時、マイクロ制御素子により、システムに他の警告信号を送信し、システムを待機モードに移行させる。同じように、システムに、充電素子が連接されていなければ、放電を行わず、また、マイクロ制御素子によりシステムに充電素子が連接されていると判断すれば、内部放電を実行する。また、バッテリパックの電気量が完全放電電圧に到達する時、電池保護素子によりリセットステップを実行し、最小電気量をゼロに設定して、前記バッテリパック電気量を測定するための一つの基準点とし、この時、バッテリパックに対して充電開始する。
【発明を実施するための最良の形態】
【００１３】
一般的な携帯型装置では、特に、携帯可能なコンピュータシステムでは、例えば、ノートパソコンやＰＤＡ、移動通信設備等において、電力の使用は格段に重要であり、ユーザーはシステムの操作システムに表示された残留電気量指標に信頼するが、システムに表示された電池電気量の指標は、電池残留効果を考慮せず、予めに設定された電池電気量だけで、システム（或いは、その操作システム）の電池電気量が一杯になるか、それとも低電気量や電気量枯渇の状態であるかを判断し、それに基づいて、システムを正常モードや待機モードに移行させる。しかし、仮に、判断した電気量が、実際の電池電気量ではない時、システムエラーになる。本発明に係るバッテリパックの残留容量測定の修正装置と方法は、主として、充放電過程における電池剩餘電気量の残留効果を解決する提案であり、従来技術と異なる充放電時機の設計により、システムが待機段階に移行しても持続的に完全放電電圧まで放電し、また、最小電気量をゼロにリセットして、それを基準とすれば、より精確的に電池電気量を判断できる。
【００１４】
図５は、本発明による方法の充放電曲線図であり、縦軸はバッテリパックの電気量を表示し、１００％はバッテリパックの完全充電電圧の状態で、０％は、バッテリパックの完全放電電圧の状態である。横軸が時間軸であり、曲線は、各時間点のバッテリパック容量状態を表示する。
【００１５】
点ｄとｄ’は、電気量枯渇段階（ｄｅａｄ  ｃａｐａｃｉｔｙ）に到達しなくても追充電する曲線であり、本発明による設計した充放電時機は、外部電源が連接されている限り、電気量が枯渇に到達し無くても充電を行い、点ｄと点ｄ’のように後の電圧曲線が上へ上がる。点ｅがバッテリパック容量が電気量枯渇段階に入ることを示し、この時、システムがバッテリパック電気量枯渇の信号を受信すると、電池枯渇や関連する警告内容を生成し、音や画面を利用してユーザーに警告を通知し、システムやその操作システムが、直ちに待機モードや電源休眠状態に移行する。
【００１６】
点ｆが待機モードに移行してから、バッテリパック（或いは、図に表示されていないパワーマネジメントシステム）に充電素子が連接されているまでの時間を示す。例えば、ノートパソコンは、内部電池が電気量枯渇の電圧に到達しても外部電源アダプタ（ａｄａｐｔｅｒ）いまだ連接されていない。システムが点ｆで表示された時間において待機に必要とする微少の電力を維持し、一意に放電せず、点ｇはシステムに充電素子が連接されることを表示し、この時、システムは、まず点ｇと点ｈの間において放電し、点ｈにより表示された完全放電電圧（Ｅｎｄ  ｏｆ  Ｄｉｓｃｈａｒｇｅ  Ｖｏｌｔａｇｅ）になると、点ｈの時刻において、システムが、バッテリパックの電気量が０％であることを表示する最小電気量をリセットし、これにより、バッテリパックが待機する前重複充放電による電力残留効果や電池メモリ効果により電力測定誤差を解消するとともにリセットした最小電気量を基準とし、システムが精確的にバッテリパックの電気量を測定できるようにする。そして、精確的な残留電力を残留電気量表示システム（Ｒｅｍａｉｎｉｎｇ  ｃａｐａｃｉｔｙ  ｄｉｓｐｌａｙ  ｓｙｓｔｅｍ）に表示できる。その後、充電素子の電力支援により、充電プロセスを実行し、点ｈのようにその後、電圧が上へ上がる曲線になる。
【００１７】
上記の本発明の設計による充放電時機により、バッテリパックを完全放電電圧に達到できるため、電池の効果が完全に発揮され、そして、精確的に残留電力の測定と表示が実現される。
【００１８】
本発明は、バッテリパックの残留容量測定の修正装置と方法であり、特に、充放電時機の設計により、精確な最低電気量位置が得られる。
【００１９】
図６は、上記の充放電時機を実現するためのバッテリパックの残留容量測定の修正装置の実施例である。本実施例は、電池を使用する携帯型装置（例えば、ノートパソコンやＰＤＡや行動通信設備等）のパワーマネジメントシステムに適用できる。
【００２０】
図中は、一つや複数のセル（ｃｅｌｌ）からなるバッテリパック６１を表し、このバッテリパックは特にリチウムバッテリパックであるのが好ましい。バッテリパック６１は、電気的に接続された電池保護素子６３での、回路設計により、過充電（ｏｖｅｒ  ｃｈａｒｇｅ）や過放電（ｏｖｅｒ  ｄｉｓｃｈａｒｇｅ）や過電流（ｏｖｅｒ  ｃｕｒｒｅｎｔ）による損害を防止するように保護される。例えば、バッテリパック６１が過充電になると、電池保護素子６３により充電スイッチ６０３をオフさせ、充電を停止する。また、バッテリパック６１が過放電になる時や大電流が発生する時、電池保護素子６３により放電スイッチ６０１をオフさせ、放電を停止する。また、バッテリパックが、完全放電電圧までに放電されると、電池保護素子６３によりバッテリパック６１の最小電気量をリセットする。
【００２１】
図中のバッテリパック６１は、更に充電素子６５に電気的に接続され、システムは、この充電素子を介して、商用電源のような外部電源に連接する。しかしながら、充電素子６５が常に該パワーマネジメントシステムに連接されず、情況に応じて連接される。電池保護素子６３と充電素子６５とバッテリパック６１に電気的に接続される充電スイッチ６０３により、充電素子６５が、バッテリパック６１に対して充電する回路を制御し、充電が必要とする時、電池保護素子６３により充電スイッチ６０３をオンさせ、充電電流を流し、バッテリパック６１に対して充電を行う。
【００２２】
また、放電スイッチ６０１は電池保護素子６３と、充電素子６５と、バッテリパック６１と電気的に接続する。バッテリパック６１の放電する回路を制御し、放電する必要がある時やシステム負荷に対して給電する時、電池保護素子６３により放電スイッチ６０１をオンさせ放電を実行する。
【００２３】
パワーマネジメントシステムは、更に、マイクロ制御素子６７を備え、このマイクロ制御素子６７が、電池保護素子６３に電気的に接続され、上記の充電スイッチ６０３は、マイクロ制御素子６７により制御され、システムが待機モードに移行し且つシステムに充電素子６５が連接されている時、マイクロ制御素子６７により充電スイッチ６０３をオフさせ、充電素子６５がバッテリパック６１に対して充電しないように制御する。電気量が完全放電電気量に到達すると、充電を開始する。主な目的は信号により充電の時機を制御することで、システムの異なる状態に応じて、充電停止の信号や充電開始の信号を生成する。
【００２４】
前記マイクロ制御素子６７は、充電素子６５が連接されているかどうかを検知することができ、また、測定素子６９により測定されたバッテリパック６１の電気量に基づいて、一つや複数の電気量メッセージを生成し、電気量メッセージは例えば、表示システムにより表示された残留電気量や低電気量電圧に到達したことを警告するメッセージや、電気量が電気量枯渇電圧に到達することを警告するメッセージなどが挙げられる。マイクロ制御素子６７は、通信端子６０９と６１１を介して、電気量メッセージをシステムの中央処理装置（ＣＰＵ）に送信する。
【００２５】
実施例において、マイクロ制御素子６７は、測定素子６９からバッテリパック６１の電気量を取得し、測定素子６９は、抵抗器の電圧低下や電流により、バッテリパック６１の電気量を測定する。また、マイクロ制御素子６７には、更に、内部放電スイッチ６０５が電気的に接続され、この内部放電スイッチ６０５は抵抗６０７が連接されるとともにバッテリパック６１の両極にクロスオーバーされ、よってマイクロ制御素子６７はバッテリパック６１が電気量枯渇でありながら、充電素子６５が連接されている時、アクティブ的に完全放電電圧に放電するように制御する。特に、抵抗６０７の抵抗値により内部アクティブの放電速度を制御する。
【００２６】
上記マイクロ制御素子６７は、主として、本発明の各時間点の充電と放電時機を制御し、これにより、より精確的にバッテリパック６１容量を測定する目的を達到できる。
【００２７】
図７は、本発明に係るバッテリパックの残留容量測定の修正方法のフローチャートである。ステップＳ７０１において、本電池が作動される時、上記測定素子でバッテリパックの電気量を持続的に測定し続き、同時に、マイクロ制御素子により常に測定素子から、バッテリパックの電気量状態を取得し、各電気量状態に基づいて、異なる充放電プロセスを生成する。
【００２８】
システムが、待機モードに移行すると、バッテリパック電気量が電気量枯渇電圧に到達することを示し（ステップＳ７０３）、マイクロ制御素子により、充電素子が連接されているかいなかを判断し（ステップＳ７０５）、充電素子が連接されなければ、充電スイッチをオフして、バッテリパックが待機モードに維持する（ステップＳ７０７）。
【００２９】
ステップＳ７０９において、マイクロ制御素子は、充電素子がパワーマネジメントシステムに連接されることを検知すると、内部放電スイッチをオンして、内部放電のプロセスを開始し、例えば、抵抗器を介して放電する。また、実際に作動する時、抵抗値の大きさについて、放電速度（完全放電電圧に到達する時間が長過ぎないように）とシステムの温度変化（放電が速過ぎることにより温度が高くなることを避けるように）を考慮して、適当な抵抗値にする。続いて、持続的に完全放電電圧まで、即ち、バッテリパック電気量が０％である位置になるまで放電する（ステップＳ７１１）。
【００３０】
システムは、この時、バッテリパックの最小電気量を０にリセットしてから（ステップＳ７１３）、充電を開始する（ステップＳ７１５）。また、完全充電電圧に充電すると、その時の電圧を１００％に設定し、もう一つの基準点として、残留電力の検知精確性を確保する。
【００３１】
図８は、本修正方法のより好ましい実施例のフローチャートである。電池管理モジュールは、フローチャートにおいて、持続的に電池容量を測定する（ステップＳ８０１）とともに、常にマイクロ制御素子により測定素子で低電気量電圧に到達したか否かを判断し（ステップＳ８０３）、もしマイクロ制御素子に、比較的に低い所定の電気量値が設定されれば、システムに対して低電気量警告信号を送信し（ステップＳ８０５）、低電気量警告してから一般としてシステムがそれでも持続的に作動し、また、マイクロ制御素子により、常に、バッテリパック電気量が電気量枯渇電圧に到達したか否かを判断し（ステップＳ８０７）、電気量枯渇電圧に到達すると、マイクロ制御素子により、異なる形式の警告を生成し、また、システムに待機モードに移行するように通知し（ステップＳ８０９）、或いは、他の類似する電源モードに移行する。
【００３２】
ステップＳ８１１において、この時、マイクロ制御素子は、微少の電力で持続的に作動し、また、常に負荷の量でシステムに充電素子が連接されているか否かを判断し、充電素子が連接されなければ、充電しないモードに移行し、システムが待機状態に維持する（ステップＳ８１３）。システムに充電素子が連接されていることを検知すると、マイクロ制御素子は内部放電スイッチをオンして内部放電プロセスを実行する（ステップＳ８１５）と同時に、完全放電電圧に到達したか否かを判断する（ステップＳ８１７）。
【００３３】
この時、放電速度は、システム全体の状態によって決められ、システム温度や電力状況等を参考して、完全放電電圧に到達できない場合、充電素子が連接されてもマイクロ制御素子は充電しないように制御し、例えば、充電スイッチをオフして、バッテリパックの電気量が完全放電電圧に到達するまで持続的に放電を実行するように（ステップＳ８１９）制御し、この時、システムは電気量をリセットし、最小電気量を０に設定し（ステップＳ８２１）、これにより、各電池効果による誤差を解消でき、同時に、充電開始する（ステップＳ８２３）。その後、充電が完全充電電圧に到達すると、システムが最大電気量を１００％に設定するようにリセットし、電気量を測定するためのもう一つの基準点とし、残留電力の検知精確性を確保できる。
【００３４】
以上のように、本発明は、バッテリパックの残留電気量測定の修正装置と方法であり、主として、バッテリパックの充放電動作により修正する目的を実現し、バッテリパック電気量が電気量枯渇に到達するとき、外部電源が連接されても持続的に完全放電電圧まで放電し、また、最小電気量をリセットし、これにより、以降の電気量測定がより精確的になる。
【００３５】
以上は、ただ、本発明の好ましい実施例であり、本発明は、それによって制限されることが無く、本発明に係る特許請求の範囲や明細書の内容に基づいて行った等価の変更や修正は、全てが、本発明の特許請求の範囲内に含まれる。
【図面の簡単な説明】
【００３６】
【図１】図１は従来技術の理想電圧内で充放電する時の曲線図である。
【図２】図２は従来技術の電池充放電による誤差の曲線図である。
【図３】図３は従来技術の電池充放電による誤差の曲線図である。
【図４】図４は従来技術の電池充放電誤差によるシステムの判断エラーの曲線図である。
【図５】図５は本発明に係る方法の充放電曲線図である。
【図６】図６は本発明に係るバッテリパックの残留容量測定の修正装置の実施例概念図である。
【図７】図７は本発明に係るバッテリパックの残留容量測定の修正方法のフローチャートである。
【図８】図８は本発明に係るバッテリパックの残留容量測定の修正方法の実施例のフローチャートである。
【符号の説明】
【００３７】
ａ、ｂ、ｃ、ｄ、ｄ’、ｅ、ｆ、ｇ、ｈ      点
６１      バッテリパック
６３      電池保護素子
６５      充電素子
６７      マイクロ制御素子
６９      測定素子
６０１、６０３、６０５      スイッチ
６０７      抵抗
６０９、６１１      通信端子
【図１】
2009139361.tif 000004
【図２】
2009139361.tif 000005
【図３】
2009139361.tif 000006
【図４】
2009139361.tif 000007
【図５】
2009139361.tif 000008
【図６】
2009139361.tif 000009
【図７】
2009139361.tif 000010
【図８】
2009139361.tif 000011